(57)【要約】【課題】居室内に配しておむつ臭等の強い臭いを確実に防止できるゴミ収容器を提供する。【解決手段】上面に開口部３ａを有した外箱３と、外箱３の底部に設けられて圧縮機７が設置される機械室５と、機械室５の上方に仕切壁９を介して設けられる収納部４と、収納部４内に配されるとともに開口部３ａを介して出し入れされる内ケース６と、外箱３の後端に枢支されるとともに開口部３ａを開閉する蓋部１０と、圧縮機７に接続して収納部４内を冷却する冷却器８とを備え、開口部３ａの前端の高さを５００ｍｍ以上６００ｍｍ以下にした。【選択図】図２
2015163544.tif 000002
【特許請求の範囲】
【請求項１】
上面に開口部を有した外箱と、前記外箱の底部に設けられて圧縮機が設置される機械室と、前記機械室の上方に仕切壁を介して設けられる収納部と、前記収納部内に配されるとともに前記開口部を介して出し入れされる内ケースと、前記外箱の後端に枢支されるとともに前記開口部を開閉する蓋部と、前記圧縮機に接続して前記収納部内を冷却する冷却器とを備え、前記開口部の前端の高さを５００ｍｍ以上６００ｍｍ以下にしたことを特徴とするゴミ収容器。
【請求項２】
前記蓋部上に配される天井部と前記収納部の背壁上に配される背壁部とを有するとともに前記収納部に臨む吸込口及び吹出口を開口した循環ダクトと、前記循環ダクト内に配される送風機と、前記循環ダクト内に配される脱臭装置とを備え、前記吸込口が前記天井部の前部に開口するとともに前記吹出口が前記背壁部の前記内ケースよりも上方に開口し、前記外箱の上面を前方が下がる傾斜面に形成したことを特徴とする請求項１に記載のゴミ収容器。
【請求項３】
前記内ケースは前記収納部に収納された状態で、上面がほぼ水平で、かつ、該上面の前端は前記外箱の開口部の高さよりも低くなるように形成され、前記内ケースの容量が２０Ｌ以上であることを特徴とする請求項１または請求項２に記載のゴミ収容器。
【請求項４】
前記収納部内にイオンを放出するイオン発生装置を有することを特徴とする請求項１〜請求項３のいずれかに記載のゴミ収容器。
【請求項５】
前記冷却器により前記収納部内が０℃以上の冷蔵温度に冷却されることを特徴とする請求項１〜請求項４のいずれかに記載のゴミ収容器。
【発明の詳細な説明】
【技術分野】
【０００１】
本発明は、脱臭機能を備えた居室内に配されるゴミ収容器に関する。
【背景技術】
【０００２】
近年高齢化に伴って要介護者が増加し、要介護者に利用される大人用の紙おむつは自宅や施設の居室内に配されるゴミ収容器（ゴミ箱）に廃棄される。この時、居室内に排泄物臭が発生する問題がある。
【０００３】
特許文献１には脱臭装置を備えたゴミ収容器が開示される。このゴミ収容器は生ゴミ等廃棄物を収容する容器の上面を蓋部により開閉し、蓋部に光触媒型の脱臭剤が設けられる。これにより、容器内の廃棄物から発生する臭いを脱臭剤により脱臭することができる。
【０００４】
また、特許文献２には集合住宅の共同ゴミ集積所等に配されるゴミ収容器が開示される。このゴミ収容器は生ゴミ等の廃棄物を収容する収容室内を冷却する冷却部を備えている。これにより、収容室内の冷却によって廃棄物から臭気成分を含む水分の蒸散が抑制され、臭いの発生を抑制することができる。
【先行技術文献】
【特許文献】
【０００５】
【特許文献１】特開２００４−２０３５００号公報（第３頁−第９頁、第１図）
【特許文献２】特開２００６−２１３４７９号公報（第４頁−第７頁、第１図）
【発明の概要】
【発明が解決しようとする課題】
【０００６】
しかしながら、上記特許文献１のゴミ収容器によると、光触媒型等の脱臭剤は臭いの強いおむつ臭に対して十分脱臭することができず、ゴミ収容器を居室内に配した際におむつ臭を防止できない問題があった。
【０００７】
また、上記特許文献２のゴミ収容器は臭気成分を含む水分の蒸散を抑制して脱臭効果を高くできるが、ゴミ集積所に設置されるため大型になり、居室内に設置することができない問題があった。
【０００８】
本発明は、居室内に配しておむつ等から発する排泄物等の強い臭いを確実に防止できるゴミ収容器を提供することを目的とする。
【課題を解決するための手段】
【０００９】
上記目的を達成するために本発明は、上面に開口部を有した外箱と、前記外箱の底部に設けられて圧縮機が設置される機械室と、前記機械室の上方に仕切壁を介して設けられる収納部と、前記収納部内に配されるとともに前記開口部を介して出し入れされる内ケースと、前記外箱の後端に枢支されるとともに前記開口部を開閉する蓋部と、前記圧縮機に接続して前記収納部内を冷却する冷却器とを備え、前記開口部の前端の高さを５００ｍｍ以上６００ｍｍ以下にしたことを特徴としている。
【００１０】
この構成によると、収納部に配される内ケース内に蓋部を開いて廃棄物が投入される。収納部は仕切壁を介して下方に配される圧縮機を駆動して冷却器により冷却され、廃棄物からの臭気成分を含む水分の蒸散が抑制される。内ケースは収納部から上面の開口部を介して取り出され、内ケース内の廃棄物が廃棄される。
【００１１】
また本発明は、上記構成のゴミ収容器において、前記蓋部上に配される天井部と前記収納部の背壁上に配される背壁部とを有するとともに前記収納部に臨む吸込口及び吹出口を開口した循環ダクトと、前記循環ダクト内に配される送風機と、前記循環ダクト内に配される脱臭装置とを備え、前記吸込口が前記天井部の前部に開口するとともに前記吹出口が前記背壁部の前記内ケースよりも上方に開口し、前記外箱の上面を前方が下がる傾斜面に形成したことを特徴としている。
【００１２】
また本発明は、上記構成のゴミ収容器において、前記内ケースは前記収納部に収納された状態で、上面がほぼ水平で、かつ、該上面の前端は前記外箱の開口部の高さよりも低くなるように形成され、前記内ケースの容量が２０Ｌ以上であることを特徴としている。
【００１３】
また本発明は、上記構成のゴミ収容器において、前記収納部内にイオンを放出するイオン発生装置を備えることを特徴としている。
【００１４】
また本発明は、上記構成のゴミ収容器において、前記冷却器により前記収納部内が０℃以上の冷蔵温度に冷却されることを特徴としている。
【００１５】
また本発明は、上記構成のゴミ収容器において、前記外箱の底面を形成する底板に複数のキャスターを取り付けるとともに、前記底板が前記キャスターの取付面に対して下方に配される凹部を有し、前記圧縮機を前記凹部内に設置したことを特徴としている。
【００１６】
また本発明は、上記構成のゴミ収容器において、前記外箱の横幅を３５０ｍｍ以下にしたことを特徴としている。
【発明の効果】
【００１７】
本発明によると、上面に開口部を有する外箱の底部の機械室に圧縮機を配置して機械室の上方の収納部に内ケースを配置し、圧縮機に接続した冷却器によって収納部を冷却する。これにより、内ケース内に収容された廃棄物からの臭気成分を含む水分の蒸散を抑制しておむつ臭等の発生を防止することができる。また、内ケースを配した収納部の下方に圧縮機を配置してゴミ収容器の設置スペースを小さくし、居室内にゴミ収容器を設置することができる。
【００１８】
加えて、開口部の前端の高さが５００ｍｍ〜６００ｍｍに形成されるため、使用者が屈まずに内ケースを取り出せるとともに、廃棄物の収容により重量の大きい内ケースを開口部よりも上方に容易に持ち上げることができる。これにより、腕力の弱い女性や高齢者の使用者でも容易に内ケースを取り出して廃棄物を廃棄することができる。従って、ゴミ収容器の利便性を向上することができる。
【図面の簡単な説明】
【００１９】
【図１】本発明の第１実施形態のゴミ収容器を示す斜視図
【図２】本発明の第１実施形態のゴミ収容器を示す側面断面図
【図３】本発明の第１実施形態のゴミ収容器の蓋部を示す斜視図
【図４】本発明の第１実施形態のゴミ収容器の本体部を示す斜視図
【図５】本発明の第１実施形態のゴミ収容器の循環ダクトを示す斜視図
【図６】本発明の第１実施形態のゴミ収容器の循環ダクトの背壁部を示す斜視図
【図７】本発明の第１実施形態のゴミ収容器の上部の吹出口上を通る側面断面図
【図８】本発明の第１実施形態のゴミ収容器の上部の連通口上を通る側面断面図
【図９】本発明の第１実施形態のゴミ収容器の脱臭性能を示す図
【図１０】本発明の第２実施形態のゴミ収容器の循環ダクトを示す斜視図
【図１１】本発明の第２実施形態のゴミ収容器の循環ダクトの背壁部を示す斜視図
【図１２】本発明の第２実施形態のゴミ収容器の上部の吹出口上を通る側面断面図
【発明を実施するための形態】
【００２０】
＜第１実施形態＞
以下に図面を参照して本発明の実施形態を説明する。図１は第１実施形態のゴミ収容器の斜視図を示している。ゴミ収容器１は床面に設置される本体部２と本体部２の上面を覆う蓋部１０とを備えている。本体部２は外装を形成する外箱３を有し、外箱３の底面にはキャスター１７、１８（図２参照）が設けられる。外箱３の前面上部にはハンドル１６が設けられ、ハンドル１６を把持してゴミ収容器１を床面上で移動させることができる。
【００２１】
蓋部１０は外箱３の後端で枢支され、外箱３の上面の開口部３ａ（図２参照）を開閉する。蓋部１０の上面前部には蓋部１０を開く開ボタン１１が設けられる。
【００２２】
図２はゴミ収容器１の側面断面図を示している。また、図３は蓋部１０を下方から見た斜視図を示し、図４は本体部２を上方から見た斜視図を示している。外箱３は水平断面形状が略矩形に形成され、前方が下がる傾斜面から成る上面に開口部３ａを開口する。外箱３の底部には機械室５が設けられ、機械室５の上方に仕切壁９を介して収納部４が設けられる。仕切壁９を含む収納部４の壁面は発泡ウレタン等の断熱材を充填して形成される。
【００２３】
外箱３の後端にはヒンジ部１２によって蓋部１０が枢支される。ヒンジ部１２には蓋部１０を開く方向に付勢する捻りバネから成る付勢部１３が設けられる。蓋部１０には前部の下面に係止爪３１が突出し、外箱３の上面前部には係止爪３１が係合する孔部３２が設けられる。係止爪３１が孔部３２に係合して蓋部１０が閉じられ、開ボタン１１の押下により係止爪３１と孔部３２との係合を解除して蓋部１０が開かれる。外箱３には蓋部１０が開いた際に当接して回動範囲を規制するストッパ１４が設けられる。
【００２４】
また、開口部３ａの周囲及び開口部３ａの周囲に対向する蓋部１０には外箱３と蓋部１０との隙間を塞ぐ環状のパッキンが設けられている。これにより、外箱３と蓋部１０との隙間からの臭気成分の流出を防止することができる。
【００２５】
外箱３の底面に配されるキャスター１７、１８は機械室５の底板５ｃに取り付けられる。前方の一対のキャスター１７は鉛直な回転軸及び水平な回転軸を有し、底板５ｃの取付面５ａ上に取り付けられる。後方の一対のキャスター１８は水平な回転軸を有し、取付面５ａに対して下方に配される凹部５ｂに取り付けられる。
【００２６】
凹部５ｂ内には冷凍サイクルを運転する圧縮機７が支持板７ａを介して取り付けられる。これにより、後述する内ケース６を配した収納部４の下方に圧縮機７が配置される。従って、ゴミ収容器１の設置スペースを小さくし、居室内にゴミ収容器１を設置することができる。
【００２７】
また、キャスター１７の取付面５ａ対して下方に配される凹部５ｂに圧縮機７が設置されるため、機械室５の高さを低くすることができる。これにより、内容積の大きい収納部４を形成するとともに、外箱３の開口部３ａを低い位置に設けることができる。
【００２８】
圧縮機７には冷媒管から成る冷却器８が接続される。冷却器８は蛇行により収納部４の前壁及び両側壁内に配される。圧縮機７により冷凍サイクルが運転されると、冷却器８によって収納部４内が冷蔵温度（０℃〜１０℃）に冷却される（本実施形態では３℃）。収納部４内を氷点（０℃）以上の冷蔵温度に冷却することにより、結露水や廃棄物の凍結による蓋部１０や後述する内ケース６の固着を防止することができる。
【００２９】
仕切壁９内には収納部４と外箱３の外部とを連通させるドレンパイプ３３が設けられる。収納部４の冷却により収納部４内に発生する結露水はドレンパイプ３３を介して排水される。尚、機械室５内に結露水の受け皿を設け、ドレンパイプ３３により収納部４と受け皿上とを連通させてもよい。また、ドレンパイプ３３を有さない構成とすることもできる。
【００３０】
収納部４内には上面を開口して廃棄物が投入される内ケース６が配される。内ケース６は水平断面形状が略矩形に形成され、開口部３ａを介して出し入れされる。内ケース６には出し入れする際に把持される把手（不図示）が設けられる。
【００３１】
内ケース６の上面の開口部は内ケース６を収納部４に収納した状態で略水平となるように形成される。これにより、内ケース６の上面一杯まで廃棄物を収納した場合でも内ケース６から廃棄物が転がり落ちるのを防ぎ、内ケース６の容量を有効に使用することができる。
【００３２】
内ケース６内に廃棄物が投入されるゴミ袋を設け、開口部３ａを介してゴミ袋を出し入れてもよい。これにより、より廃棄物の取り出しが容易になる。ゴミ袋はポリエチレンやポリプロピレンなどの高分子化合物によるものであってもよい。この場合は臭気の蒸散が抑制される効果も期待できる。
【００３３】
収納部４及び蓋部１０には収納部４内の空気を循環させる循環ダクト２０が設けられる。循環ダクト２０は蓋部１０に配される天井部２１と、収納部４の背壁上に配される背壁部２２とを有している。背壁部２２上には収納部４内の温度を検知する温度センサ３６が設けられる。温度センサ３６の検知結果に基づいて圧縮機７をオンオフし、収納部４内が所定温度に維持される。
【００３４】
図５は循環ダクト２０を上方から見た斜視図を示し、図６は背壁部２２を後方から見た斜視図を示している。循環ダクト２０の天井部２１の前部には通気口により形成される吸込口２１ａが開口する。循環ダクト２０の後部には連通口２１ｂが開口する。吸込口２１ａと連通口２１ｂとの間に第１吸気路２１ｃが形成される。連通口２１ｂは前方から見て右方に偏った位置に配される。第１吸気路２１ｃの下壁は蓋部１０の上面に対して平行に形成され、水平に配される。
【００３５】
背壁部２２の前面には左方に偏った位置に通気口により形成される吹出口２２ａが開口する。背壁部２２の上面には連通口２１ｂに対向する連通口２２ｂが開口する。吹出口２２ａは内ケース６（図２参照）の上端よりも上方に配される。
【００３６】
背壁部２２内には遠心ファンから成る送風機２５が配される。背壁部２２の下部は前方に突出し、送風機２５の前方に面した吸気口（不図示）に気流を導く。連通口２２ｂと送風機２５の吸気口との間に第２吸気路２２ｃが形成され、送風機２５の排気口（不図示）と吹出口２２ａとの間に排気路２２ｄが形成される。
【００３７】
排気路２２ｄの側壁上には排気路２２ｄ内にイオンを放出するイオン発生装置２６が配される。イオン発生装置２６は放電電極（不図示）を有し、放電電極に交流波形またはインパルス波形から成る高電圧を印加してコロナ放電させることでイオンやオゾンを発生する。イオン発生装置２６により発生するイオンは脱臭、除菌の効果があるものが好ましく、例えば、マイナスイオンや、プラスイオンとマイナスイオンの対などが好ましい。
【００３８】
イオン発生装置２６と吹出口２２ａとの間には脱臭触媒２７が配される。脱臭触媒２７は二酸化マンガンやゼオライト等の吸着剤をハニカム状の基材に担持して形成され、臭気成分の化学吸着や物理吸着によって循環ダクト２０内の気流を脱臭する。これにより、収納部４内の脱臭効果をより向上することができる。従って、イオン発生装置２６及び脱臭触媒２７は収納部４内を脱臭する脱臭装置を構成する。
【００３９】
イオン発生装置２６を脱臭触媒２７の上流に配置することで、脱臭触媒２７に吸着した臭気成分をイオンが分解し、脱臭触媒２７の性能を長期に亘って維持させることができる。尚、脱臭触媒２７をイオン発生装置２６の上流に配置してもよい。この場合は、吹出口２２ａから収納部４に直接イオンやオゾンを放出することができる。
【００４０】
循環ダクト２０が天井部２１及び背壁部２２を有し、背壁部２２に送風機２５、イオン発生装置２６及び脱臭触媒２７を配置するため、蓋部１０を軽量化することができる。これにより、付勢部１３の付勢力を弱くしても蓋部１０を開くことができ、付勢部１３に抗して蓋部１０を閉じる際の使用者の負担を軽減することができる。
【００４１】
また、送風機２５、イオン発生装置２６及び脱臭触媒２７が可動部である蓋部１０ではなく本体部２に備えられている。このため、蓋部１０の開閉時に送風機２５、イオン発生装置２６及び脱臭触媒２７にかかる衝撃を大幅に減少できる。従って、送風機２５、イオン発生装置２６及び脱臭触媒２７の故障や破損を防止することができる。
【００４２】
図７はゴミ収容器１の上部の吹出口２２ａを通る側面断面図を示し、図８はゴミ収容器１の上部の連通口２１ｂ、２２ｂを通る側面断面図を示している。送風機２５（図６参照）の駆動によって後方の吹出口２２ａから収納部４内に気流が送出される（矢印Ｂ２）。収納部４内に送出された気流はイオンを収納部４内に拡散するとともに、蓋部１０と内ケース６との間の空間部３４を通って前方の吸込口２１ａから循環ダクト２０内に流入する（矢印Ａ１）。
【００４３】
これにより、内ケース６の上方の空間部３４にエアカーテンが形成され、外箱３と蓋部１０との隙間からの臭気成分の流出をより確実に防止することができる。また、収納部４内で発生した臭気成分はこのエアカーテンの気流に引っ張られることで収納部４内から吸込口２１ａへと導かれる。これにより、収納部４内に臭気成分が蓄積することを防止できる。この時、本体部２の外箱３の上面を前方が下がる傾斜面に形成するため、エアカーテンの形成領域を確保するとともに開口部３ａの前端の高さを低くすることができる。
【００４４】
上記のゴミ収容器１の横幅×奥行×高さは例えば、３３０ｍｍ×４４０ｍｍ×６８０ｍｍに形成される。ゴミ収容器１の横幅は３５０ｍｍ以下にすると望ましい。例えば、介護ベッドの長さは約２００ｍｍ〜２２０ｍｍであり、居室の壁面の長さは約２５５０ｍｍ（１．５畳）であることが多い。このため、該壁面に沿って介護ベッドを配置した際に介護ベッドの足下側または枕側のデッドスペースにゴミ収容器１を設置することができる。
【００４５】
また、内ケース６の横幅×奥行×高さは約２２０ｍｍ×約２８０ｍｍ×約３４０ｍｍに形成される。これにより、内ケース６の内容量が約２０Ｌになっている。ゴミ袋を指定のゴミ袋としている自治体が増えており、２０Ｌサイズや３０Ｌサイズのゴミ袋を指定する自治体が多い。本実施形態の内ケース６の内容量とすることで、２０Ｌサイズのゴミ袋をそのまま内ケース６に装着しても無駄なく使用することができる。また、３０Ｌサイズのゴミ袋を内ケース６に装着した場合には内ケース６の上面の開口部でゴミ袋を折り曲げる折り代を有することができ、ゴミ袋に収納した廃棄物に触れずにゴミ袋を内ケース６から取り出すことが容易となる。
【００４６】
また、内ケース６の内容量が約２０Ｌとした場合は、要介護者が利用する大人用の紙おむつを１人１日当たり４枚として４日分（重量約８ｋｇ）を収容することができる。このため、可燃性ゴミの回収日が一週間当たり２回とすると、回収日まで紙おむつを内ケース６内に保管することができる。
【００４７】
内ケース６の横幅は外箱３の横幅及び外箱３の周壁の厚みによって制限される。内ケース６の奥行を横幅に対して著しく大きくすると内ケース６を持ち運びしにくくなるため、内ケース６の奥行は横幅の１．５倍以下が望ましい。これにより、内ケース６の高さが所望の内容量（本実施形態では２０Ｌ）を確保するように決められる。
【００４８】
また、外箱３の傾斜面から成る上面に開口する開口部３ａの前端の高さは５００ｍｍ〜６００ｍｍに形成される。開口部３ａの前端の高さを５００ｍｍ以上に形成することにより、使用者が屈まずに内ケース６または内ケース６内のゴミ袋を取り出すことができる。
【００４９】
また、開口部３ａの前端の高さを６００ｍｍ以下にすることにより、内ケース６内に廃棄物を容易に投棄できる。また、廃棄物の収容により重量の大きい内ケース６やゴミ袋を開口部３ａよりも上方に容易に持ち上げることができる。これにより、腕力の弱い女性や高齢者の使用者でも容易に内ケース６やゴミ袋を取り出して廃棄物を廃棄することができる。
【００５０】
また、内ケース６の上面の開口部の前端は内ケース６を収納部４に収納した状態で外箱３の開口部３ａの前端の高さよりも低くなるように形成される。これにより、収納部４に収納した内ケース６内にゴミを投棄する場合に、内ケース６の前端上部が外箱３の開口部３ａから突出して上記のように開口部３ａの前端の高さを制限した効果が薄れてしまうことを防ぐことができる。
【００５１】
上記構成のゴミ収容器１において、開ボタン１１の押下により蓋部１０が開き、内ケース６内または内ケース６に配したゴミ袋内に廃棄物を投入して蓋部１０が閉じられる。圧縮機７の駆動によって冷凍サイクルが運転され、収納部４内が冷蔵温度に冷却される。これにより、廃棄物からの臭気成分を含む水分の蒸散が抑制される。
【００５２】
また、送風機２５及びイオン発生装置２６の駆動により収納部４内の空気は矢印Ａ１（図８参照）に示すように吸込口２１ａを介して循環ダクト２０の天井部２１に流入する。天井部２１に流入した空気は第１吸気路２１ｃを流通し、矢印Ａ２（図８参照）に示すように連通口２１ｂ、２２ｂを介して背壁部２２に流入する。背壁部２２に流入した空気は矢印Ａ３、Ａ４、Ａ５（図６参照）に示すように第２吸気路２２ｃを流通し、送風機２５に導かれる。
【００５３】
送風機２５から排気された空気は矢印Ｂ１（図６参照）に示すように排気路２２ｄを流通し、イオン発生装置２６により発生したイオンによって殺菌及び脱臭が行われる。また、排気路２２ｄを流通する空気は脱臭触媒２７を通過し、更に脱臭が行われる。また、イオン発生装置２６により発生したイオンは脱臭触媒２７に吸着した臭気成分を分解する。
【００５４】
脱臭触媒２７を通過した空気は矢印Ｂ２（図７参照）に示すように吹出口２２ａから収納部４内に送出される。吹出口２２ａから送出された空気に含まれるイオンは収納部４内に拡散され、収納部４内の殺菌及び脱臭が行われる。
【００５５】
図９は本実施形態のゴミ収容器１による臭いの質及び強さを調べた結果を示している。臭いの質及び強さの測定には島津製作所製のにおい識別装置を用い、各基準ガス（硫化水素、硫黄系、アンモニア、アミン系、有機酸系、アルデヒド系、エステル系、芳香族系）との比較による絶対値表現解析を行った。
【００５６】
同図において、Ａはイオン発生装置２６及び圧縮機７を停止し、収納部４内が３２℃の状態を示している。Ｂはイオン発生装置２６を停止して圧縮機７を駆動し、収納部４内が３℃の状態を示している。Ｃはイオン発生装置２６を停止して圧縮機７を駆動し、収納部４内が−２３℃の状態を示している。Ｄはイオン発生装置２６及び圧縮機７を駆動し、収納部４内が３℃の状態を示している。
【００５７】
同図によると、イオン発生装置２６及び圧縮機７を停止した場合は各臭気成分の発生量が多い。圧縮機７を駆動して収納部４内を３℃に冷却すると、アンモニアが殆ど発生しなくなり、その他の臭気成分の発生量が少なくなる。これにより、収納部４内の冷却によって臭いの発生を低減することができる。
【００５８】
更に、イオン発生装置２６及び圧縮機７を駆動すると、有機酸系を除く各臭気成分が殆ど発生せず、有機酸系の発生量も少なくなる。即ち、おむつ臭に含まれるアンモニア臭は３℃に冷却することでほぼ感応できなくなることがわかった。更に、他の臭気成分についてもイオンによる殺菌及び脱臭によって、ほぼ感応できない程度まで低減することがわかった。
【００５９】
また、収納部４内のイオンによる殺菌及び脱臭を行うと、収納部４内を冷凍温度（−２３℃）にするよりも臭気低減の効果が大きい。従って、廃棄物を０℃以下に冷凍しなくても、３℃程度の所謂冷蔵温度帯に収納部４内を冷却してイオンを発生することにより、臭いの発生をほぼ感応できない程度まで低減することができる。
【００６０】
収納部４内を冷凍温度にすると、結露水や収納物の凍結によって収納部４と内ケース６とが固着する虞や、内ケース６に配したゴミ袋と内ケース６とが固着する虞がある。本実施形態では廃棄物を凍結させないため内ケース６やゴミ袋の固着を防止できる。このため、腕力の弱い女性や高齢者の使用者であっても容易に内ケース６やゴミ袋を取り出して廃棄物を廃棄することができる。そして、収納部４内を冷凍しなくてもイオンを発生することにより、臭いの発生をほぼ感応できない程度まで低減することができる。
【００６１】
本実施形態によると、上面に開口部３ａを有する外箱３の底部の機械室５に圧縮機７を配置して機械室５の上方の収納部４に内ケース６を配置し、圧縮機７に接続した冷却器８によって収納部４を冷却する。これにより、内ケース６内に収容された廃棄物からの臭気成分を含む水分の蒸散を抑制しておむつ臭等の発生を防止することができる。また、内ケース６を配した収納部４の下方に圧縮機７を配置してゴミ収容器１の設置スペースを小さくし、居室内にゴミ収容器１を設置することができる。
【００６２】
加えて、開口部３ａの前端の高さが５００ｍｍ〜６００ｍｍに形成されるため、使用者が屈まずに内ケース６を取り出せるとともに、廃棄物の収容により重量の大きい内ケース６を開口部３ａよりも上方に容易に持ち上げることができる。これにより、腕力の弱い女性や高齢者の使用者でも容易に内ケース６を取り出して廃棄物を廃棄することができる。従って、ゴミ収容器１の利便性を向上することができる。
【００６３】
また、蓋部１０上に配した天井部２１の前部に吸込口２１ａが開口して収納部４の背壁上に配される背壁部２２の内ケース６よりも上方に吹出口２２ａが開口し、外箱３の上面が傾斜面に形成される。これにより、内ケース６の上方にエアカーテンを形成して外箱３と蓋部１０との隙間からの臭気成分の流出を防止できるとともに、開口部３ａの前端の高さを低く形成することができる。従って、内容量の大きい内ケース６を有して開口部３ａの前端の高さが６００ｍｍ以下のゴミ収容器１を容易に実現することができる。
【００６４】
また、内ケース６が収納部４に収納した状態で上面の開口部が略水平で、かつ、上面の前端は外箱の開口部の高さよりも低くなるように形成される。このため、内ケース６の上面一杯まで廃棄物を収納した場合でも内ケース６から廃棄物が転がり落ちるのを防ぎ、内ケース６の容量を有効に使用することができる。また、内ケース６内に廃棄物を容易に投棄することができる。
【００６５】
また、内ケース６の内容量を約２０Ｌにしたので、要介護者１人に対して４日分の紙おむつを収納して可燃ゴミの回収日まで保管することができる。尚、内ケース６の内容量を２０Ｌ以上にしてもよい。
【００６６】
また、循環ダクト２０を介して収納部４内にイオンを放出するイオン発生装置２６を備えたので、収納部４内の殺菌及び脱臭を行うことができ、おむつ臭等の発生をより低減することができる。
【００６７】
また、冷却器８により収納部４内が０℃以上の冷蔵温度に冷却されるので、結露水の凍結による蓋部１０、内ケース６或いはゴミ袋の固着を防止することができる。
【００６８】
また、外箱３の底面を形成する底板５ｃがキャスター１７の取付面５ａに対して下方に配される凹部５ｂを有し、圧縮機７を凹部５ｂ内に設置している。これにより、機械室５の高さを低くし、開口部３ａの高さを低く形成することができる。従って、内容量の大きい内ケース６を有して開口部３ａの前端の高さが６００ｍｍ以下のゴミ収容器１を容易に実現することができる。
【００６９】
また、外箱３の横幅を３５０ｍｍ以下にしたので、介護ベッドの足下や頭上のデッドスペースにゴミ収容器１を設置することができ、ゴミ収容器１の利便性を向上することができる。
【００７０】
＜第２実施形態＞
次に、図１０、図１１は第２実施形態のゴミ収容器１の循環ダクト２０の斜視図及び背壁部２２の斜視図を示している。説明の便宜上、前述の図１〜図８に示す第１実施形態と同様の部分には同一の符号を付している。本実施形態は第１実施形態に対して吹出口２２ａの配置が異なっている。その他の部分は第１実施形態と同一である。
【００７１】
背壁部２２の上面には前方から見て右方に偏った位置に連通口２２ｂが開口し、左方に偏った位置に吹出口２２ａが開口する。天井部２１の下面には上方に凹む凹部２１ｄが吹出口２２ａに対向して設けられる。
【００７２】
図１２はゴミ収容器１の上部の吹出口２２ａ上を通る側面断面図を示している。送風機２５の駆動によって吹出口２２ａから上方に送出される空気は矢印Ｂ３に示すように、凹部２１ｄの内面に沿って下方に向かって反転する。そして、イオンを含む空気の一部が内ケース６の内部に供給され、前方の吸込口２１ａから天井部２１に流入する。これにより、内ケース６の上方の空間部３４にエアカーテンを形成するとともに、イオンにより内ケース６の内部の殺菌及び脱臭を行うことができる。従って、第１実施形態と同様の効果を得ることができる。
【００７３】
＜第３実施形態＞
次に、第３実施形態について説明する。本実施形態は前述の図１〜図８に示す第１実施形態と同様に構成され、フィンチューブ型の冷却器８が循環ダクト２０の背壁部２２内に設けられる。その他の部分は第１実施形態と同様である。
【００７４】
送風機２５が駆動されると背壁部２２内の冷却器８と熱交換した冷気が収納部４内に送出される。これにより、収納部４内を冷却することができ、第１実施形態と同様の効果を得ることができる。第２実施形態のゴミ収容器１についても本実施形態と同様の冷却器８を設けてもよい。また、冷却器８を循環ダクト２０内及び収納部４の周壁内の両方に設けてもよい。
【００７５】
第１〜第３実施形態において、循環ダクト２０の背壁部２２（周壁部）の設置壁４ａが収納部４の周壁の一部である背壁により形成されるが、収納部４の他の周壁により設置壁４ａを形成してもよい。
【００７６】
また、吹出口２２ａが背壁部２２に開口するが、収納部４の背壁（背壁部２２の設置壁４ａ）近傍の天井部２１に開口してもよい。また、背壁部２２または収納部４の背壁近傍の天井部２１に設けた通気口により吸込口２１ａを形成し、収納部４の背壁に対向した前壁近傍の天井部２１に設けた通気口により吹出口２２ａを形成してもよい。
【００７７】
また、収納部４内に生ゴミや衛生ゴミを収納しているが、冷却および除菌によって長期保存が可能となる物品等の内容物を収納してもよい。
【産業上の利用可能性】
【００７８】
本発明によると、臭いを放出する廃棄物を収容するゴミ収容器に利用することができる。一例として、紙おむつを利用する要介護者が居住する自宅や施設の居室内に設置されるゴミ収容器に利用することができる。
【符号の説明】
【００７９】
１    ゴミ収容器
２    本体部
３    外箱
４    収納部
５    機械室
６    内ケース
７    圧縮機
８    冷却器
９    仕切壁
１０    蓋部
１１    開ボタン
１２    ヒンジ部
１３    付勢部
１４    ストッパ
１５    表示パネル
１６    ハンドル
１７、１８  キャスター
１９    凹部
２０    循環ダクト
２１    天井部
２１ａ  吸込口
２１ｂ、２２ｂ  連通口
２１ｃ  第１吸気路
２１ｄ  凹部
２２    背壁部
２２ａ  吹出口
２２ｃ  第２吸気路
２２ｄ  排気路
２５    送風機
２６    イオン発生装置
２７    脱臭触媒
３４    空間部
３６    温度センサ
【図１】
2015163544.tif 000003
【図２】
2015163544.tif 000004
【図３】
2015163544.tif 000005
【図４】
2015163544.tif 000006
【図５】
2015163544.tif 000007
【図６】
2015163544.tif 000008
【図７】
2015163544.tif 000009
【図８】
2015163544.tif 000010
【図９】
2015163544.tif 000011
【図１０】
2015163544.tif 000012
【図１１】
2015163544.tif 000013
【図１２】
2015163544.tif 000014